Podtech/llm-jp-corpus-v4-ja_patent huggingface dataset:
(57)【要約】      （修正有）【課題】天井に吊下げられる構造体で、破損・損壊し落下災害を招く事なく、しかも、施工性に優れた防煙垂壁を提供する。【解決手段】ＬアングルＬ・ＴＡＬを天井及び壁・柱面の所定の位置に取付けて、不燃シートＦＳ取付面に仮固定用の両面テープを貼付け、その面に石鹸水を噴霧したら、不燃シートＦＳを位置決めして、両端で引っ張りながら、スキージにて水抜きして、仮固定した後、不燃シートＦＳが均一に張られた事を確認し、プレートＰを皿ビスにて固定して防煙垂壁を形成する。不燃シートＦＳは、グラスファイバー製でＪＩＳ認定の不燃性シートを用いる。また上記の取付工事は、全て現場加工にて取付が完了する構造である。【選択図】図２
0003173095.tif 000002
【実用新案登録請求の範囲】
【請求項１】
テンション式グラスファイバー防煙スクリーンに於いて、
（１）グラスファイバー性不燃シートを、天井及び壁・柱面に取付けたＬ型アングル材とプレートの三方で固定した構造。
（２）不燃シートを取付ける際、皺無く均一に張る為に、壁・柱間の片方に縦スリット穴の開いた形状のＬ型アングル材を用いた構造。
（３）コーナー部は、不燃シートを固定する方立と、天井部Ｌ型アングルを連結させる為に多角形の補強材を用いた構造。
以上からなるテンション式グラスファイバー防煙スクリーン
【考案の詳細な説明】
【技術分野】
【０００１】本考案は、破損・脱落の恐れの無い不燃シートを用いた防煙垂壁に関する。
【背景の技術】
【０００２】従来、建築基準法により所定以上の床面積を有する建築物には、天井より垂れ壁を設けて、火災の際、煙の移動を阻止する為の防煙垂壁を設ける様義務付けられている。
そこで、この防煙垂壁で煙移動阻止の役目をする垂れ壁部には、不燃材である、硝子ケイカル板・グラスファイバーシート等が用いられている。
【０００３】防煙垂壁用垂れ壁に使用されてるこれらの不燃材の内、地震等が発生した際、硝子ケイカル板は、揺れにより、破損・損壊し落下災害を招く危険性が大きい。
【０００４】グラスファイバーシート仕様の防煙垂壁は、パネル形状の物と、両サイドで引っ張り合うテンション構造型の防煙垂壁があり、硝子・ケイカル板仕様と異なり、地震による破損・損壊の恐れはない。
【０００５】グラスファイバーシート仕様の防煙垂壁は、安全性の点からは絶大なる信頼が置ける工法である。しかし、施工面に関して述べると、施工する壁間を正確に測定して、垂れ壁パネル部を発注し、工場製作された垂れ壁パネル部を現場取付する事になるが、現実の現場は、柱の形状、現場の状況により、壁間を正確に測定出来ない事が多く、出来たとしてもヒューマンエラーに依る誤発注で混乱する事が多々ある。
【先行技術文献】
【０００６】
【特許文献】
【特許文献】  特公開２０１１−４１６９３号  特公開２００８−１７３２７１号
【非特許文献】
【０００７】
【非特許文献１】  日軽産業（株）製セーフティスモーク・（株）ミヨシ製Ｍ式ツリコ・日東防製ダンスモーク
【考案の概要】
【考案が解決しようとする課題】
【０００８】天井に吊り下げられる構造体で、破損・損壊し落下災害を招く事なく、しかも、施工性に優れた防煙垂壁を開発する事にある。
【課題を解決するための手段】
【０００９】以上の目的を達成する為に、必要部材を現場に持ち込んだら、まず、取付位置の墨出しを行い、天井・壁及び柱面にＬ型のアルミ型材を取付ける。【００１０】次に、Ｌ型のアルミ型材表面に仮固定用の両面テープを貼付て、必要寸法に切断した不燃性シートを皺無く均等に貼付たら、Ｌ型とフラットのアルミ型材で不燃性シートを挟み込む形でビス固定する。
【考案の効果】
【００１１】安全性・作業性に優れた防煙垂壁として役立つ
【図面の簡単な説明】
【００１２】
【図１】本考案の一実施例を示す天井面から垂直方向の断面図
【図２】本考案の一実施例を示す一部正面図
【図３】本考案の一実施例を示す壁・柱から水平方向の断面図
【図４】本考案の一実施例を示す上部天井及び壁・柱用Ｌアングルの形状
【図５】本考案の一実施例を示すプレートの形状
【図６】本考案の一実施例を示す壁・柱用縦スリット穴付きＬアングルの形状
【図７】本考案の一実施例を示すコーナー方立形状
【図８】本考案の一実施例を示すコーナ補強金具形状
【図９】本考案の一実施例を示すコーナー部納まり図
【符号の説明】
【００１３】ＦＳ    不燃性シート
Ｌ      Ｌアングル
Ｐ      プレート
ＮＢ    野縁
ＴＢ    天井ボード
ＨＢ    壁面ボード
Ｂ      ビス
ＳＪ    下地
ＴＡＬ  縦スリット穴付きＬアングル
ＫＭ    コーナー補強金具
ＫＨ    コーナー方立
【考案を実施する為の形態】
【００１４】以下、図面と共に本考案の一実施例を図面に従って説明するにあたり、天井及び壁・柱面の取付位置に下地材（ＮＢ・ＳＪ）が確認されたと云う前提で、Ｌ型のアングル型材（Ｌ・ＴＡＬ）をビス（Ｂ）止めする。
【００１５】次に、Ｌ型のアングル型材の不燃性シート（ＦＳ）取付面に両面テープを貼り付ける。
【００１６】所定のＨ寸法に切断された不燃性シート（ＦＳ）を、壁及び柱間のＷ寸法を、実寸より長めに切断する。
【００１７】先程、貼り付けた両面テープの剥離紙を剥がして、そのノリ面に、中性洗剤を溶かした石鹸水（濃度０．１〜０．２％程度）を噴霧した後、不燃性シート（ＦＳ）を、下端部が水平になる様位置決めして、縦スリット穴付きＬ型アングルの縦穴に不燃シート（ＦＳ）を潜らして、不燃シート（ＦＳ）を両端で引っ張りながら、Ｌ型アングル形材（Ｌ・ＴＡＬ）と不燃性シート（ＦＳ）が接する面を、スキージを使って水抜きして仮固定する。
【００１８】最後に、不燃性シート（ＦＳ）が皺無く、均一に張られている事を確認したら、不燃性シート（ＦＳ）をＬ型のアングル型材（Ｌ・ＴＡＬ）とプレート（Ｐ）で挟み込んで、ビス固定して完了。
【図１】
0003173095.tif 000003
【図２】
0003173095.tif 000004
【図３】
0003173095.tif 000005
【図４】
0003173095.tif 000006
【図５】
0003173095.tif 000007
【図６】
0003173095.tif 000008
【図７】
0003173095.tif 000009
【図８】
0003173095.tif 000010
【図９】
0003173095.tif 000011
(57)【要約】      （修正有）【課題】外壁に突起物がなく玩具として安全であり、衝撃を与えることで発光する積み木を提供する。【解決手段】壁面に複数の貫通口があり、内部に発光体を有している。貫通口は透明樹脂で塞がれ、発光体からの発光を視認可能である。【選択図】図２
0003173091.tif 000002
【実用新案登録請求の範囲】
【請求項１】
壁面に複数の貫通口が開いていて、内部に発光体を仕込んでいる積み木。
【請求項２】
貫通口の部分を透明樹脂で塞ぎ、前記発光体からの発光を外部から視認可能にしていることを特徴とする請求項１記載の積み木。
【請求項３】
前記発光体は衝撃を与えることで発光開始するものであることを特徴とする請求項１なしい２記載の積み木。
【請求項４】
前記発光体は一定時間衝撃が与えられないと消灯することを特徴とする請求項１ないし３記載の積み木。
【請求項５】
前記発光体は所定時間内に再び衝撃を与えられると異なる色で発光することを特徴とする請求項１ないし４記載の積み木。
【考案の詳細な説明】
【技術分野】
【０００１】この申請は、特に幼児や子どもの遊びに利用される積み木に関するものである。
【背景技術】
【０００２】玩具の中で積み木は最も一般的なもののひとつで、材質や構造，大きさ，色などにさまざまな工夫を凝らしたものが存在している。最近では、ＬＥＤを積み木に組み込んで光を遊びの要素のひとつとしたものも開示されている（参考文献１）。【０００３】しかしながら、それらはＬＥＤを点灯させるための電源部との接続や、相互接続のための機械的コネクタをもつものであり、伝統的な積み木の形状からは少々異なっているといわざるを得ない。それらの突起部は幼児などにとっては危険であり、そのため玩具としての安全性の一部に不安が存在する。【０００４】よって、より安全性を追求するためには、上記のような突起部（機械的コネクタなど）を有しない、伝統的な形状で、かつ、ＬＥＤなどの発光部による光の演出を実現できるものが望ましい。
【先行技術文献】
【０００５】
【特許文献１】特願２０１０−５２０９７５号広報
【考案の概要】
【考案が解決しようとする課題】
【０００６】  光源をもつ積み木はこれまでにもあったが、コネクタや電極が露出しているなど突起部があり玩具としての安全性の一部に不安があった。
【課題を解決するための手段】
【０００７】本発明の積み木は、壁面に複数の貫通口が開いていて、内部に発光体を仕込んでいることを特徴とするものである。【０００８】請求項２に記載の考案は、積み木において貫通口の部分を透明樹脂で塞ぎ、内部発光体からの発光を視認確認可能にすることを特徴とするものである。【０００９】請求項３に記載の考案は、積み木に衝撃を与えることで発光開始するものであることを特徴とする。【００１０】請求項４に記載の考案は、積み木に一定時間衝撃が与えられないと消灯することを特徴とする。【００１１】請求項５に記載の考案は、発光体に、所定時間内に再び衝撃を与えられると異なる色で発光することを特徴とする。
【考案の効果】
【００１２】本考案の積み木では、発光部を発光させるためのスイッチやコネクタなどの積み木外部より操作する箇所がないため、積み木の各外壁には突起物がなく安全な形状となる。【００１３】また、衝撃を与えることで発光し、発光色が変わることから使用者の興味をより強く惹きつけることができる。
【図面の簡単な説明】
【００１４】
【図１】本考案の実施形態の斜視図である。
【図２】図１の積み木の分解斜視図である。
【図３】図１の積み木の断面図である。
【図４】図１の底部からの平面図である。
【図５】図１の積み木の電気的構成を示す図である。
【図６】図１の積み木の発光システムに関するフローチャートである。
【考案を実施するための形態】
【００１５】以下、本考案を実施するための形態について図面を参照しながら説明する。
図１は本考案の実施形態の斜視図である。図２は図１の積み木の分解斜視図である。
図３は積み木の断面図である。
【００１６】  これらの図が示すように、木材２とアクリル材１を一枚に張り合わせ、アクリル材を内側にして箱状に組み立てている。内部からの発光は透明樹脂を透過して、木材２の貫通口から視認できるようにした構造である。
【００１７】底部３にはＬＥＤ７を実装した基板６を円形凹部にはめ込み、ネジでネジ穴９を通してネジ穴１０に固定する。
底部３の四隅には磁石８が埋め込まれており、底部３の四隅と接する木材２の四隅にも磁石１３が埋め込まれており磁力により閉口することができる。
【００１８】図５はＬＥＤ７の発光を制御する構造図で、振動センサー１５が衝撃を感知するとマイコン１４に信号が伝達されＬＥＤ７が発光する。
【符号の説明】１  透明樹脂
２  木材
３  底部木材
６  基板
７  ＬＥＤ
８  磁石
９  ネジ穴
１０  ネジ穴
１１  円形凹部
１２  電池
１３  磁石
１４  マイコン
１５  振動センサー
【図１】
0003173091.tif 000003
【図２】
0003173091.tif 000004
【図３】
0003173091.tif 000005
【図４】
0003173091.tif 000006
【図５】
0003173091.tif 000007
【図６】
0003173091.tif 000008
(57)【要約】      （修正有）【課題】従来の幼児などが使用する安全ピンはU字型ピンの先端が尖っていて、取り付け時や転んだ際怪我をする恐れがあるが、怪我をする恐れを解消し、かつＵ字型ピンに名札を簡単に着脱できる名札留め具を提供する。【解決手段】本名札留め具１は、Ｕ字型ピン２、ピン固定部３、アップリケ４から構成され、Ｕ字型ピンはステンレス等の金属からなり一方の先端は先を丸めた差し込み部としたのでピン先端で怪我をする恐れを解消でき、ピン固定部にはＵ字型ピンの一方の先端である差し込み部を引っ掛けて固定するピン留め溝と、ピンの他方の先端に設けた雄ネジを取り付けるネジ穴を設け、Ｕ字型ピンとピン固定部との着脱を可能とし、Ｕ字型ピンの雄ネジ側に名札を取り付け、衣服に貼り付けたアップリケにはピン受け穴を設けて、この穴にＵ字型ピンの差し込み部を通して名札を衣服に留めるものである。【選択図】図１
0003173055.tif 000002
【実用新案登録請求の範囲】
【請求項１】
Ｕ字型ピン、ピン固定部、アップリケから構成される名札留め具であり、Ｕ字型ピンは一方の先端が先を丸めた差し込み部であり、他方の先端に雄ネジが設けられていて、このピンの両端を取り付けるピン固定部にはピンの差し込み部を固定するピン留め溝と雄ネジを取り付けるネジ穴とを備え、アップリケは衣服に貼り付けられるとともに前記U字型ピンを横向き状態で貫通させるピン受け穴を備えており、U字型ピンの雄ネジ側に名札を取り付けてピン固定部のネジ穴に雄ネジをネジ止めし、アップリケのピン受け穴を貫通して先端が受け穴外に突出したＵ字型ピンの差し込み部をピン固定部のピン留め溝に引っ掛けて留める名札留め具。
【考案の詳細な説明】
【技術分野】
【０００１】
安全ピンを使用した名札を衣服に着用する場合に針先で怪我をする恐れがあるのに対して、本考案は怪我をする恐れのない安全な名札留め具に関するものである。
【０００２】
また、留め具への名札の着脱を簡単に行なうことができる名札留め具に関するものである。
【背景技術】
【０００３】
一般に名札を留めるのに使用されている従来の安全ピンは鋭利に尖った針先を衣服等の布地に突き刺して留めるものであり針先で怪我をする恐れがある。
【０００４】
また、従来の安全ピンはピンとピンを固定する部分が一体に成形されており安全ピンに対して名札を簡単に着脱するための機構は備えていない。
【先行技術文献】
【特許文献】
【０００５】
【特許文献１】特開２００２−１６９４７４号
【特許文献２】実用新案登録第３１２１２７４号
【特許文献３】実用新案登録第３１２６２６０号
【考案の概要】
【考案が解決しようとする課題】
【０００６】
前記の従来技術は、いずれも先端の尖った針先を有する安全ピンに関するものである。
【０００７】
従来の安全ピンでは、安全ピンに名札を着脱するための機構がなく着脱が簡単であるとは言えない。
【０００８】
本考案は名札の着用時に怪我をする恐れを解消し、留め具に対して名札を簡単に着脱できる機構を備えた名札留め具を提供することを目的とする。
【課題を解決するための手段】
【０００９】
前記目的を達成するために本考案の名札留め具は次のように構成したものである。
【００１０】
本考案の名札留め具はピン先端部が針先状に尖っていないため衣服や布地に突き刺すことはできないが同時に指等に怪我をする恐れもないものである。
【００１１】
従来の安全ピンは全体が一体に成形されているが、本考案の名札留め具はピンとピン固定部を個別に成形し取り付け取り外しを可能にすることで簡単に名札を着脱することができるものである。
【００１２】
付属の部品であるアップリケにはピン受け穴を設け、衣服に貼りつけたアップリケのピン受け穴に名札留め具のピンを貫通してピンの先端部をピン固定部に固定することで本考案の名札留め具は衣服に留められる。
【考案の効果】
【００１３】
本考案による名札留め具は従来の安全ピンの課題である着用時に怪我をする恐れがある点を解消し、さらに名札留め具に対して名札を簡単に着脱することができるものである。
【図面の簡単な説明】
【００１４】
【図１】名札留め具の全体図
【図２】U字型ピンを示す図
【図３】ピン固定部を示す斜視図
【図４】アップリケを示す図
【考案を実施するための形態】
【００１５】
以下、本考案を適用した名札留め具について図面を用いて詳しく説明する。
【００１６】
本考案の名札留め具１は、Ｕ字型ピン２、ピン固定部３、アップリケ４から構成される。
【００１７】
Ｕ字型ピン２はステンレス等の金属からなり、その太さは直径１ミリメートル程度、長さ８から１０センチメートル程度でその中央部をＵ字型に曲げた形状である。
【００１８】
ピン２はＵ字型だけでなく、Ｕ字の折り曲げ部をリング状に一巻きした全体としてはＵ字型に近いものであってもよい。
【００１９】
Ｕ字型ピン２の一方の先端である差し込み部５は手指等に怪我を負わせることがないように切断面に面取り加工を施し、他方の先端である雄ネジ６にはネジ山を形成する。
【００２０】
ピン固定部３は機械的合成を有する合成樹脂、例えばポロプロピレンやポリカーボネイトで成形され、大きさは概ね縦、横、厚さ０．５から１センチメートルの直方体で、一面に差し込み部５を引っ掛けて固定するピン留め溝７と、雄ネジ６を取り付けるネジ穴８を設けた構造である。
【００２１】
ピン固定部３は直方体であるが外観上と安全面の理由より角には丸みを持たせても構わない。
【００２２】
アップリケ４は、縦横２から４センチメートル程度の大きさを持ち、裏面に感熱性接着剤層１０を設け、中央部にピン受け穴９を設ける。
【００２３】
アップリケ４はアイロンの熱で変形変質しない強度を持つ素材で、例えばフエルトが望ましい。
【００２４】
アップリケ４は裏面の感熱性接着剤層１０によりアイロンで衣服に接着する。
【００２５】
アップリケ４には刺繍等で文字や図柄を装飾することができる。
【００２６】
アップリケ４は裏面の上部と下部に設けられた感熱性接着剤層１０により衣服に接着されるが中央部は接着されずにアップリケ４と衣服の間にピン受け穴９が形成される。
【００２７】
Ｕ字型ピン２の差し込み部５は、アップリケ４と衣服の間に形成されたピン受け穴９に貫通される。
【００２８】
Ｕ字型ピン２の雄ネジ６をピン固定部３のネジ穴８から取り外すとＵ字型ピン２とピン固定部３は取り外すことができるので、名札留め具に対して名札を簡単に着脱することができる。
【００２９】
差し込み部５をピン留め溝７に引っ掛けた状態では、Ｕ字型ピン２はピン固定部３に対して回転しないので、雄ネジ６はネジ穴８より抜け落ちることはない。
【符号の説明】
【００３０】
１    名札留め具
２    Ｕ字型ピン
３    ピン固定部
４    アップリケ
５    差し込み部
６    雄ネジ
７    ピン留め溝
８    ネジ穴
９    ピン受け穴
１０    感熱性接着剤層
【図１】
0003173055.tif 000003
【図２】
0003173055.tif 000004
【図３】
0003173055.tif 000005
【図４】
0003173055.tif 000006
(57)【要約】      （修正有）【課題】スーツケースが倒れた際に、本体と蓋の表面、側面が地面と摩擦するのを防止することができるスーツケースの保護具の構造を提供する。  【解決手段】主に保護条２０、側条２１で構成する。スーツケースの本体１０及び蓋１１に側条、保護条を設置し、該側条、保護条は本体、蓋の表面から突出する。【選択図】図４
0003173025.tif 000002
【実用新案登録請求の範囲】
【請求項１】
保護条、側条を含み、
スーツケースの本体及び蓋の表面に保護条、側面に側条を設け、保護条、側条は本体及び蓋の表面や側面から突出し、スーツケースが倒れた場合、保護条、側条が地面と抵触するため、本体と蓋が地面と摩擦することによる摩損を防止できることを特徴とするスーツケースの保護具の構造。
【請求項２】
前記本体及び蓋の表面及び側面に凹溝を設置し、該凹溝に保護条、側条を組み合わせることを特徴とする請求項１記載のスーツケースの保護具の構造。
【請求項３】
前記保護条、側条を一体成形にすることができることを特徴とする請求項１記載のスーツケースの保護具の構造。
【考案の詳細な説明】
【技術分野】
【０００１】
本考案はスーツケースの保護具の構造に関し、特にスーツケースのボックス本体、蓋及びサイド表面に保護具を具有することで、スーツケースが倒れた際に本体や蓋が摩損するのを防止するスーツケースの保護具の構造に関する。
【背景技術】
【０００２】
従来技術のスーツケースの構造は、およそ図１、図２及び図３に示すように、スーツケースは本体１、蓋２で構成する。つまり、本体１蓋２の表面及びサイドはその他の保護装置がない。よって、下記の欠点がある：図２に示すように、本体１横向きに地面に置くと、必然的に本体１(或いは蓋２)の表面が地面と接触し、そうすれば表面を摩損する問題が起こる。図３に示すように、本体１のサイド面を地面に置くと、必然的に本体１、蓋２のサイド面が摩損するため、更なる改善が必要であった。
【先行技術文献】
【特許文献】
【０００３】
【特許文献１】特開２００８−２２０４０５号公報
【考案の概要】
【考案が解決しようとする課題】
【０００４】
前記従来構造の欠点を解決するため、本考案はスーツケースの保護具の構造を提供することにある。
【課題を解決するための手段】
【０００５】
前記課題を解決するために、本考案はスーツケースの保護具の構造を提供するものである。本考案は本体及び蓋の表面と側面に一体に連結した保護条と側条を設置し、該保護条、側条は本体、蓋の表面及び側面から突出する。スーツケースが倒れた際に該保護条、側条が地面と抵触するため、本体１０と蓋１１が摩損するのを防止することができる。
【考案の効果】
【０００６】
本考案は本体及び蓋の表面と側面に一体に連結し、表面と側面から突出した保護条と側条を設置することで、スーツケースが倒れた際に該保護条、側条が地面と抵触し、本体１０と蓋１１が摩損するのを防止することができる。
【図面の簡単な説明】
【０００７】
【図１】従来技術の立体図である。
【図２】従来技術の本体を地面に接触した略図である。
【図３】従来技術のサイド面を地面に接触した略図である。
【図４】本考案の立体分解図である。
【図５】本考案の組立立体図である。
【図６】本考案のボックス面を地面に接触した略図である。
【図７】本考案のサイド面を地面に接触した略図である。
【考案を実施するための形態】
【０００８】
図４及び図５に示すように、該スーツケースの本体１０、蓋１１の表面及びサイド面に凹溝１２を設け、
表面の凹溝１２に保護条２０、
サイド面の凹溝１２に側条２１を設置し、
保護条２０、側条２１を一体に連結し、且つ保護条２０、側条２１は本体１０と蓋１１の表面及び側面より突出する。
【産業上の利用可能性】
【０００９】
本考案の効果及びメリットは下記の通り：
(１)  図６に示すように、本体１０が倒れた場合、保護条２０が地面と抵触するため、本体１０と蓋１１が地面と摩擦することにより摩損するのを防止することができる。
(２)  図７に示すように、本体１０の側面から倒れた場合、側条２１が地面と抵触するため、本体１０と蓋の側面が地面と摩擦することにより摩損するのを防止することができる。
(３)保護条２０と側条２１は組合せタイプであり、何度も分解することができるため、保護条２０側条２１の摩損が激しい場合は新しいものに交換することができる。また、異なる色に交換、或いは商標図案を具有する保護条にすることができる。
(４)  保護条２０、側条２１は組み合わせて連結するため、幅が広めのスーツケースの場合は、比較的長い保護条２０をセレクトすることができる。
(５)  保護条２０、側条２１を一体成形にすることもできる。
【符号の説明】
【００１０】
１、１０  本体
２、１１  蓋
１２      凹溝
２０      保護条
２１      側条
【図１】
0003173025.tif 000003
【図２】
0003173025.tif 000004
【図３】
0003173025.tif 000005
【図４】
0003173025.tif 000006
【図５】
0003173025.tif 000007
【図６】
0003173025.tif 000008
【図７】
0003173025.tif 000009
(57)【要約】      （修正有）【課題】動能デジタル画像を転送できる電子グリーティングカードを提供する。【解決手段】裏表紙１と裏表紙１に折り畳んだ表紙２を備え、裏表紙１にＩＣチップ３とそれぞれＩＣチップ３に接続するブザー５とスライドスイッチ４を設け、裏表紙１にＩＣチップ３に接続する液晶ディスプレー６も設け、ＩＣチップ３には、デジタル画像を記憶する記憶モジュール、デジタル画像をエンコードし、液晶ディスプレー６に転送し表示させるマスタ制御チップモジュールを備える。【選択図】図１
0003173072.tif 000002
【実用新案登録請求の範囲】
【請求項１】
電子グリーティングカードであって、裏表紙（1）と裏表紙（1）に折り畳んだ表紙（2）を備え、裏表紙（1）にICチップ（3）とそれぞれICチップ（3）に接続するブザー（5）とスライドスイッチ（4）を設け、前記裏表紙（1）にICチップ（3）に接続する液晶ディスプレー（6）も設け、前記ICチップ（3）には、デジタル画像を記憶する記憶モジュール、デジタル画像をエンコードし、液晶ディスプレー（6）に転送し表示させるマスタ制御チップモジュールを備えることを特徴とする電子グリーティングカード。
【請求項２】
前記のマスタ制御チップモジュールには、デジタル画像をエンコードするエンコードモジュール、エンコード後の画像データを処置する画像処置モジュール、処理済みの画像データをコーディングして、それで記憶モジュールに記憶できるコーディングモジュールを備えることを特徴とする請求項１に記載の電子グリーティングカード。
【請求項３】
前記のICチップ（3）は、リチウム・マンガン電池から電気を得ることを特徴とする請求項１または２に記載の電子グリーティングカード。
【考案の詳細な説明】
【技術分野】
【０００１】
本考案は、グリーティングカード、特にマルチメディア情報を携帯する折り畳み式電子グリーティングカードに関する。
【背景技術】
【０００２】
日常生活において、祝日、誕生日及び記念日の際、人々は、祝賀と挨拶を伝えることにより、自分のお祝いと気持ちを表すことが好きであり、グリーティングカードは、前記目的をすばらしいものとして実現し、図案、文字、造型、音声、音楽とイメージなどは、グリーティングカードがその情感を表す元であり、今日、マーケットに主に流行っているのは、単ページ折り紙のグリーティングカード、立体折り紙のグリーティングカードと電子音楽のグリーティングカードである。単ページ折り紙のグリーティングカード若しくは立体折り紙のグリーティングカードは、ただ図案、文字と造型情報を受けて転送することしかできない。電子音楽のグリーティングカードも、音声と音楽情報を受けて転送することしかできない、人々は、感情交流の表現形式が、動態デジタル画像再現の新しい段階に上昇すると、現有の電子グリーティングカードは、ニーズに満足できなくなる。
【考案の概要】
【考案が解決しようとする課題】
【０００３】
本考案の目的は、動態デジタル画像を転送できる電子グリーティングカードを提供する。
【課題を解決するための手段】
【０００４】
本考案は、技術課題を解決するため、次のような構成からなる。電子グリーティングカードであって、その中に裏表紙と裏表紙に折り畳んだ表紙を備え、裏表紙にICチップとそれぞれICチップに接続するブザーとスライドスイッチを設け、前記裏表紙にICチップに接続する液晶ディスプレーも設け、前記ICチップには、デジタル画像を記憶する記憶モジュール、デジタル画像をエンコードし、液晶ディスプレーに転送し表示させるマスタ制御チップモジュールを備える。
前記のマスタ制御チップモジュールには、デジタル画像をエンコードするエンコードモジュール、エンコード後の画像データを処置する画像処置モジュール、処理済みの画像データをコーディングして、それで記憶モジュールに記憶できるコーディングモジュールを備える。前記のICチップは、リチウム・マンガン電池から電気を得る。
【考案の効果】
【０００５】
本考案の有益な効果は、裏表紙には、液晶ディスプレーと液晶ディスプレーに接続する記憶モジュールとマスタ制御チップモジュールを設けて、記憶モジュールにおけるデジタル画像を液晶ディスプレーに表示して、それで消費者が動態デジタル画像を転送するニーズを満たす。
【図面の簡単な説明】
【０００６】
【図１】本考案の正面構成を示す図である。
【図２】本考案ICチップの正面構成を示す図である。
【考案を実施するための形態】
【０００７】
以下で、付図を参照しながら、本考案をさらに説明する。
図１、図２に示す通り、電子グリーティングカードであって、三折り紙カードの向かい合って畳んだ様式であり、その中に裏表紙1と裏表紙に折り畳んだ表紙2を備え、裏表紙1にICチップ3、及びそれぞれICチップ3に接続するブザー5とスライドスイッチ4を設けて、前記裏表紙1にICチップ3に接続する液晶ディスプレー6も設けて、前記ICチップ3には、デジタル画像を記憶する記憶モジュール、デジタル画像をエンコードし、液晶ディスプレー6に転送し表示させるマスタ制御チップモジュールを備える。前記のマスタ制御チップモジュールには、デジタル画像をエンコードするエンコードモジュール、エンコード後の画像データを処置する画像処置モジュール、処理済みの画像データをコーディングして、それで記憶モジュールに記憶できるコーディングモジュールを備える。前記のICチップ3は、リチウム・マンガン電池から電気を得る。裏表紙には、液晶ディスプレーと液晶ディスプレーに接続する記憶モジュールとマスタ制御チップモジュールを備え、モジュールに記憶したデジタル画像を液晶ディスプレーに表示でき、グリーティングカードを適当な位置に開けると、スライドスイッチ4により、電源に繋ぎ、液晶ディスプレーには、事前にメモリカードに記憶したデジタル画像を表示して、それで、消費者が動態デジタル画像を転送するニーズに十分に満足できる。
上記実施例は、ただ本考案の原理とその効用、及び一部運用の実施例を説明して、本領域における普通技術者に対して、本考案創造構想から離れない限り、若干変形と改進を実施でき、それらは、全て本考案の保護範囲である。 
【符号の説明】
【０００８】
１：裏表紙
２：表紙
３：ICチップ
４：スライドスイッチ
５：ブザー
６：液晶ディスプレー
【図１】
0003173072.tif 000003
【図２】
0003173072.tif 000004
(57)【要約】      （修正有）【課題】化粧水を含む美容用フェイスシート全体を温めることで化粧水が皮膚に浸透され易くし、かつ化粧水が吸収され難いフェイスマスクを提供する。【解決手段】顔全体になじむように軟らかいＰＶＣ、ナイロン素材で形成された袋状体により、目・鼻・口部に穴をあけ、おでこから顎まで顔全体を覆う形状でフェイスマスクを作成する。また、上記の袋状体の中に保温冷ジェル又は酢酸Ｎａ水溶液を封入する。使用に当たっては、上記フェイスマスクを電子レンジで温め、上記フェイスシートの上からフェイスマスクをかぶり、該フェイスマスクの顔部の両端につけた４本のベルトにより、その端部の面ファスナーを使って、後頭部で絞めつけて顔面に固定する。【選択図】図１
0003173078.tif 000002
【実用新案登録請求の範囲】
【請求項１】
くりかえして使える温かくなるフェイスマスクを使用しフェイスシート美容液の浸透を補助するフェイスマスク
【考案の詳細な説明】
【技術分野】
【０００１】この考案は美容補助を目的にしたフェイスマスクの保温に関する。
【背景技術】
【０００２】美容用のフェイスシート化粧水を顔に貼り付けその上に保温したマスクを使い浸透の補助をする。
【先行技術文献】
【考案の概要】
【考案が解決しようとする課題】
【０００３】美容用フェイスシートに化粧水を含ませると、冷たく毛穴が閉まり浸透し難く蒸しタオルでは手間が掛かり、また、化粧水が吸われてしまいました。
そこで、この考案は美容用フェイスシート化粧水全体を温め化粧水も吸収されない物を提供することを課題とする。
【課題を解決するための手段】
【０００４】この考案は保温用の薬剤又は発熱薬剤を入れたビニール製のフェイスマスクを電子レンジで温める、もしくは凝固熱を利用した薬剤を刺激して熱をフェイスマスクに蓄え美容用フェイスシート化粧水の浸透を補助する物です。
【考案の効果】
【０００５】この考案によれば、簡単に温められたフェイスマスクを装着してフェイスシート化粧水の浸透を補助する事が出来る。
【図面の簡単な説明】
【図１】この考案を示した平面図である。
【図２】この考案を示した斜視図である。
【考案を実施するための形態】
【０００６】この考案の一実施形態を、図１に示す。
フェイスマスク本体はＰＶＣ素材であり、中には保温冷用ジェルや酢酸Ｎａ水溶液を入れ電子レンジで温める、もしくは、凝固熱により発熱させる。マスクにテープを付け固定できるようになっている。
【実施例】
【０００７】フェイスシート化粧水の上に温かいフェイスマスクをする事により浸透とリラックスする。電子レンジ式で温める方が簡単で早い。マジックテープで顔に安定させる。
【符号の説明】
【０００８】１フェイスマスク  ２保温冷ジェル又は酢酸Ｎａ水溶液
【図１】
0003173078.tif 000003
【図２】
0003173078.tif 000004
【手続補正書】
【提出日】平成23年9月2日(2011.9.2)
【手続補正１】
【補正対象書類名】実用新案登録請求の範囲
【補正対象項目名】全文
【補正方法】変更
【補正の内容】
【実用新案登録請求の範囲】
【請求項１】
目鼻口に穴をあけ顔全体になじむように軟らかいＰＶＣ・ナイロン素材で袋状に作られて中には保温冷ジェル又は酢酸Ｎａ水溶液を入れてあり、おでこから顎まで顔全体を覆う形のフェイスマスクでマジックテープ（登録商標）を用いて後ろで留められる
【手続補正２】
【補正対象書類名】明細書
【補正対象項目名】０００７
【補正方法】変更
【補正の内容】
【０００７】フェイスシート化粧水の上に温かいフェイスマスクをする事により浸透とリラックスする。電子レンジ式で温める方が簡単で早い。マジックテープ（登録商標）で顔に安定させる。
【手続補正書】
【提出日】平成23年10月26日(2011.10.26)
【手続補正１】
【補正対象書類名】実用新案登録請求の範囲
【補正対象項目名】全文
【補正方法】変更
【補正の内容】
【実用新案登録請求の範囲】
【請求項１】
目鼻口に穴をあけ顔全体になじむように軟らかいＰＶＣ・ナイロン素材で袋状に作られて中には保温冷ジェル又は酢酸Ｎａ水溶液を入れてあり、おでこから顎まで顔全体を覆う形状でマスクの顔部分から左右に出ている４本のベルトにそれぞれ両端に取り付けたマジックテープ（登録商標）を用いて後ろで留められるフェイスマスク。
(57)【要約】      （修正有）【課題】災害時など、電気の供給が止まっても利用可能な街灯を提供する。【解決手段】ソーラー街灯又は風力発電機付ソーラー街灯に、手回し発電機を取り付ける。【選択図】図１
0003173077.tif 000002
【実用新案登録請求の範囲】
【請求項１】
街灯または街路灯及び、ソーラー（太陽光発電機）街灯または、風力発電機付のソーラー（太陽光発電機）街灯に手回し発電機を取り付ける装置またはシステム。
【考案の詳細な説明】
【技術分野】
【０００１】  本考案は、手回し発電機を街灯または街路灯に取り付ける考案です。多くの場合は、ソーラー（太陽光発電機）または風力発電機またはその両者を合体したＬＥＤ照明などを利用した街灯または街路灯に手回し発電機を取り付けます。
【背景技術】
【０００２】  近年、省エネ化を求める社会動向の中で、多くのソーラー（太陽光発電機）街灯又は風力発電機付のソーラー（太陽光発電機）街灯が商品化されております。これらの街灯は、気候任せの太陽光及び風力のため天候の影響で夜間、ＬＥＤ照明などの照明が点灯できない場合が生じます。  また、蓄電池が寿命を迎えている場合においても照明が点灯できない場合が生じます。  この様な点灯出来ない状況を解決する方法として、手回し発電機を取り付ける考案です。
【考案の概要】
【考案が解決しようとする課題】
【０００３】  一般的に手回しによるエネルギーは、小さく、充分な電力を発生する為には、高効率な発電機と最適な倍速ギアが必要となります。【０００４】  公共の場での使用が考えられるので堅牢な作りにする必要があります。
【課題を解決するための手段】
【０００５】  充分な電力を発生させる発電機と最適な回転数を発生させる倍速ギアの開発により、手回しで、ソーラー（太陽光発電機）街灯又は風力発電機付のソーラー（太陽光発電機）街灯を点灯させることが可能となります。
【考案の効果】
【０００６】  本考案の手回し発電機を取り付けた街灯または街路灯は、電気の全く届かない地域での利用が可能です。また、災害時において電気の供給が止まった状況下での利用が可能となります。地震などの天災で停電となった際、夜間の点灯を手回しを行う事で照明の点灯が可能で、被災地での防犯や被災者の不安解消などに効果があります。【０００７】  本考案の手回し発電機は、電気の出力端子（ＵＳＢ端子など）を設ける事で、昼夜を問わず携帯電話（小電力電気製品）などを動作または充電する事が可能となります。【０００８】  本考案の手回し発電機を取り付けた街灯または街路灯は、省エネ（ＥＣＯ）教育・環境教育の学校教材として使用が出来、学生などに省エネ意識を浸透させる効果があります。【０００９】  本考案の手回し発電機を取り付けた街灯または街路灯は、蓄電池が寿命を迎えた際に、夜間に点灯しないなど、市民や住民からのクレームを軽減させる効果があります。
【図面の簡単な説明】
【００１０】
【図１】は本考案の斜視図
【符号の説明】
【００１１】  １  風力発電機
２  ソーラー（太陽光発電機）
３  ＬＥＤ照明
４  街灯支柱（蓄電池及び制御電気回路内蔵）
５  手回し発電機
【産業上の利用可能性】
【００１２】  本装置は、ソーラー（太陽光発電機）街灯または、風力発電機付のソーラー（太陽光発電機）街灯を扱っている会社との開発が可能です。街路灯の蓄電池（バッテリー）が寿命を迎え機能を失った場合でも、手回しすれば、夜間、点灯が可能な商品となります【００１３】  本装置は、避難場所として指定される事が多い、学校への設置が可能で、教育教材としての利用が可能です。省エネ（ＥＣＯ）教育・環境教育の教材としての利用が可能です。【００１４】  本装置は、省エネ（ＥＣＯ）商品を扱っている会社との開発が可能です。ＬＥＤ照明などの省エネ（ＥＣＯ）商品のデモンストレーション機器として、利用が可能で、省エネ（ＥＣＯ）商品の売上に貢献します。
【図１】
0003173077.tif 000003
【手続補正書】
【提出日】平成23年7月21日(2011.7.21)
【手続補正１】
【補正対象書類名】実用新案登録請求の範囲
【補正対象項目名】全文
【補正方法】変更
【補正の内容】
【実用新案登録請求の範囲】
【請求項１】
街灯または街路灯及び、ソーラー街灯または、風力発電機付のソーラー街灯に取り付ける手回し発電機。
【手続補正書】
【提出日】平成23年10月26日(2011.10.26)
【手続補正１】
【補正対象書類名】実用新案登録請求の範囲
【補正対象項目名】全文
【補正方法】変更
【補正の内容】
【実用新案登録請求の範囲】
【請求項１】
ソーラー街灯または、風力発電機付ソーラー街灯に手回し発電機を取り付けたことを特徴とする街灯
(57)【要約】      （修正有）【課題】デニム地を作製するときに大量に出る切れ端、いわゆる捨て耳を地球環境に有効な再利用し、ファッション性の高い靴を提供する。【解決手段】一端をほぐしてフリンジ状の形状にしたデニム地を靴紐とする。【選択図】図２
0003173003.tif 000002
【実用新案登録請求の範囲】
【請求項１】
一端をほぐしてフリンジ状の形状にしたデニム地を靴紐としたことを特徴とする靴。
【考案の詳細な説明】
【技術分野】
【０００１】
本考案は、靴に関する考案であり、とりわけ、ファッション性の高い靴に関する。
【背景技術】
【０００２】
２００８年頃より、衣料品業界を中心として、デニム地の端をほぐして、ぬいぐるみを作ることが提案されている。このデニム地は、いわゆるデニム地のジーンズを作るときに生じる、いわゆる捨て耳と呼ばれる部分を有効に活用するためのエコプロジェクトから生まれた。
【先行技術文献】
【非特許文献】
【０００３】
URL
http://www.nikkeibp.co.jp/ecomom/reprot/report_164.html エコマム  スペシャリポート  デニムの耳プロジェクトの挑戦  日経ＢＰ社
【考案の概要】
【０００４】
本願考案者は、上記捨て耳を利用して、靴紐として使用することでファッション性を追究することを考えた。
【考案が解決しようとする課題】
【０００５】
靴の素材や形状については、ファッション性を追究したものが多くあるが、靴紐自身は、機能を中心としており、ファッション性を考慮したものが少ない。
【課題を解決するための手段】
【０００６】
一端をほぐしてフリンジ状の形状にしたデニム地を靴紐としたことを特徴とする靴を考案した。
【考案の効果】
【０００７】
靴紐をデニム地に使用することでファッション性が高まる。更に、いわゆる捨て耳を再利用することで、地球環境に優しい製品を消費者に提供できる。
【図面の簡単な説明】
【０００８】
【図１】第１図は、デニム地で一端がフリンジ状の形状を示す。（第１図は図面代用写真である。）
【図２】第２図は、その形状を靴紐として使用した靴である。（第２図は図面代用写真である。）
【考案を実施するための形態】
【０００９】
図面代用写真に沿って説明する。図１にある一端がフリンジ状の形状をしたデニム地を用意して、図２にあるように、靴紐として使用する。
【符号の説明】
【００１０】
１・・・一端がフリンジ状の形状をしたデニム地
２・・・一端がフリンジ状の形状をしたデニム地を靴紐として使用した靴
【図１】
0003173003.tif 000003
【図２】
0003173003.tif 000004
(57)【要約】      （修正有）【課題】ポケットに入れて持ち運びでき、簡単に取り出せて、さりげなく使用できる携帯用鏡を提供する。【解決手段】部分投影に重きを置き、サイズを小さくして、破損しないよう防護することにより、ポケットに入れてでも携帯できるようにして、何時でも何処ででも、さりげなく身嗜みを整えることができるようにした。【選択図】図１
0003173082.tif 000002
【実用新案登録請求の範囲】
【請求項１】
部分投影に重きを置き、サイズを小さくした鏡にすることにより、破損防止のための防護が、製作上容易になり、ポケットに入れてでも持ち運びを可能にした携帯鏡。
【考案の詳細な説明】
【技術分野】
【０００１】本考案は、ポケットに入れて持ち運びでき、簡単に取り出せて、さりげなく使用できる携帯用鏡である。
【背景技術】
【０００２】従来の携帯用鏡は、広範囲を投影することに重きを置いていたため、サイズが大きく、また破損の危険が伴うため、鞄等に入れてでしか持ち運びできなかった。【０００３】ところが、日常生活の中で、人前に出る機会は多く、髪、ネクタイ、襟、目元、鼻、口元等、部分投影でも良いので身嗜みを整えたいと思うことは随所にある。【０００４】そこで、部分投影を主目的としたサイズの小さな鏡にすることにより、製作上破損防護が容易になり、ポケットに入れての持ち運びも可能となる。故に、常に携帯でき、必要を感じた時に、何時でも何処でもさりげなく使用できる。
【考案の概要】
【考案が解決しようとする課題】
【０００５】人前に出る前に、口元、鼻、目元、髪を整えたい、襟を正したい、ネクタイの結び目を確認したい等の、身嗜みを整えたい際に、バッグから取り出してという手間がかかり、また使用動作が大きくなるため人の前での、使用がはばかれていた。
【課題を解決するための手段】
【０００６】部分投影に重きを置き、サイズを小さくした鏡に、破損しないよう防護してポケットでも携帯可能にした。
【考案の効果】
【０００７】常に携帯でき、いつでも何処でも安易に取り出せて、さりげなく身だしなみを整えることが出来る。
【考案を実施するための形態】
【０００８】上辺が空いた出入口４、と、どちらかの側面の一部が空いたスライドガイド５、を施した空洞の外防護１、に鏡２、の裏全体から側面及び表外周縁を中防護３、で覆い、スライドガイド５、に合わせてスライド凸６、を施した内装部分７、を内装する。
【０００９】また、鏡２、の裏面に凹鏡或いは凸鏡を施せば用途を広げることも出来る。
【図面の簡単な説明】
【００１０】
【図１】本考案の立体図である。
【図２】本考案の外防護全体図である
【図３】本考案の内装部分全体図である
【符号の説明】
【００１１】１  外防護
２  鏡
３  中防護
４  出入口
５  スライドガイド
６  スライド凸
７  内装部分
【図１】
0003173082.tif 000003
【図２】
0003173082.tif 000004
【図３】
0003173082.tif 000005
【手続補正書】
【提出日】平成23年10月26日(2011.10.26)
【手続補正１】
【補正対象書類名】実用新案登録請求の範囲
【補正対象項目名】全文
【補正方法】変更
【補正の内容】
【実用新案登録請求の範囲】
【請求項１】
空洞長方体の上辺を開け出入口として、更に側面の片側或いは両側の一部を開けスライドガイドを施し、長方形の鏡の裏面から側面全体及び表外周縁を防護材で覆い、空洞長方体のスライドガイドに合わせて側面の片側或いは両側の下方にスライド凸をほどこして、空洞長方体に内装したポケットに入れてでも持ち運びを可能にした携帯鏡。
【手続補正２】
【補正対象書類名】明細書
【補正対象項目名】０００８
【補正方法】変更
【補正の内容】
【０００８】空洞長方体の上辺を開けた出入口４、と、側面の片側或いは両側の一部を開けたスライドガイド５、を施した外防護１、に、長方形の鏡２、の裏面から側面全体及び表外周縁を防護材で覆って中防護３、として、スライドガイド５、に合わせて側面の片側或いは両側の下方にスライド凸６、を設けた内装部分７、を内装する。
(57)【要約】      （修正有）【課題】カセットコンロガスボンベやスプレー缶において、安全、且つ軽易に残留ガスを抜き取るために残留ガスを抜き取る構造体をその内部に設けたガス抜用キャップを提供する。【解決手段】カセットボンベやスプレー缶に装着する筒状体のキャップ内部に仕切板１を設け、仕切板の一方は平面形状とし、一方の反対側にノズル基部の直径より大きな凹部２を設け、さらに、ノズルより大きな直径を有し、且つノズルの長さより短い長さのノズル押し下げ凹部５を設け、その凹部中央部にノズルの直径より小さな直径のガス逃がし穴６を貫通させ、また、筒状体外側両側に全周に連続した突起９、または断続した配置の突起を設けた形状のガスを抜き取るガス抜き用キャップを形成する。キャップの向きを変えて差し替えるだけの操作で、手を離しても残留ガスの排出が継続されることで、衝撃による爆発事故の誘発防止に役立ち安全性が確保され、且つ操作性も容易である。【選択図】図２
0003180274.tif 000002
【実用新案登録請求の範囲】
【請求項１】
カセットボンベやスプレー缶に装着する筒状体のキャップ内部に仕切板を設け、仕切板の一方は平面形状とし、一方の反対側にノズル基部の直径より大きな凹部を設け、さらに、ノズルより大きな直径を有し、且つノズルの長さより短い長さのノズル押し下げ凹部を設け、その凹部中央部にノズルの直径より小さな直径のガス逃がし穴を貫通させ、また、筒状体外側両側に全周に連続した突起、または断続した配置の突起を設けた形状のガス抜き用キャップ。
【考案の詳細な説明】
【技術分野】
【０００１】  本考案は、カセットガスボンベのキャップにガス抜き構造を設けたキャップに関するものである。
【背景技術】
【０００２】  従来、使用後のカセットボンベやスプレー缶の残留ガスを抜き取る道具はいろいろ考案されているが、これらは主に容器に直接穴を開けてガスを放出させる手段であり危険が伴う。また、特開２００１−２４７１５０は、特殊な治具を用いて煩雑な操作でガスを抜き取る方法で技術的に一般の家庭に普及させるには難しい発明であった。
【先行技術文献】
【特許文献】
【０００３】
【特許文献１】  特開２００１−２４７１５０
【考案の概要】
【考案が解決しようとする課題】
【０００４】  従来の技術では、カセットボンベやスプレー缶に穴を開ける際、衝撃により発生する火花が残留ガスに引火して爆発事故を誘発することも考えられる。また、特開２００１−２４７１５０においては筒状の治具が別体で構成されており、使用方法や手順が家庭の主婦や高齢者にとって難しいと思われ、さらに構成部品の逸失も考えられる。このことから、一般家庭においては、安全且つ簡単にガスを抜き取る技術の確立が要求されている。
【課題を解決するための手段】
【０００５】    カセットボンベやスプレー缶に装着する筒状体のキャップ内部に仕切板を設け、仕切板の一方は平面形状とし、一方の反対側にノズル基部の直径より大きな凹部を設け、さらに、ノズルより大きな直径を有し、且つノズルの長さより短い長さのノズル押し下げ凹部を設け、その凹部中央部にノズルの直径より小さな直径のガス逃がし穴を貫通させ、また、筒状体外側両側に全周に連続した突起、または断続した配置の突起を設けた形状のガスを抜き取るガス抜き用キャップであり、キャップの向きを変えて差し替えるだけの操作で、手を離しても残留ガスの排出が継続されることで従来の技術に求められていた衝撃による爆発事故の誘発防止による安全性や残留ガス抜き取り時の操作性は概ね解決している。
【考案の効果】
【０００６】  本考案は、特開２００１−２４７１５０に比し、使用方法が簡単であり作用部もキャップと一体形であるため部品の紛失等もなく安全且つ確実にその効果が期待出来るため、残留ガスが原因となる引火事故や破裂事故、更には人身事故の減少・防止にも繋がり、消費者の安全に対する意識の向上にも資すると考えられる。
【図面の簡単な説明】
【０００７】
【図１】  本考案の一の実施例で使用状態を示す断面図である。
【図２】  本考案の他の使用状態を示す断面図である。
【実施例】
【０００８】  以下、添付図面に従って一実施例を説明する。キャップ本体は硬質プラスチックや金属、樹脂等の適宜素材にて射出形成あるいは構成部品等の接着、組立及び組合せ等により一体化されたものである。１は仕切板で一方は平面形状で、一方の反対側にノズル基部の直径より大きな直径の２ノズル基部凹部と、ノズルより大きな直径で、且つノズルの長さより短い長さの５ノズル押し下げ凹部、さらに、凹部中央部にノズルの直径より小さな直径の６ガス逃がし穴を貫通させ、残留ガス抜き取り時の４ノズル基部と３噴射ノズルを固定する。
５ノズル押し下げ凹部はノズルより短く形成されており、ガス抜き取り時に短く形成された寸法の範囲でノズルを直接押し下げてガスを排出する。６ガス逃がし穴は、抜き取りガスを外部に排出するための、ノズルより直径が小さな穴である。【０００９】  図１はカセットボンベ保存中の実施例を示し、装着しているキャップの向きはノズル基部凹部２がある方とは反対側をボンベ本体８に装着している。【００１０】  図２は残留ガス抜き取り時の実施例を示し、図１の状態からキャップを抜き取り、天地方向を逆にして再びボンベ本体８に装着することで、ノズル基部４はノズル基部凹部２に誘導固定され、ノズル３はノズル押し下げ凹部５に誘導固定される。さらに押し込むと、ノズル押し下げ凹部５がノズル３に接して、ノズル３をノズル基部４の内部に押し込み、残留ガスがノズル３から排出される。排出されたガスは、ガス逃がし穴６から外部に排出される。また、キャップは筒状体７外部両側の全周に連続した突起９、または、断続した配置の突起９によりボンベ本体８に固定され、手を離しても残留ガスの排出が継続される。【００１１】  キャップ装着時の天地方向が軽易に判別出来るよう、キャップ本体を上下２色に色分けする方法もある。
【図面の簡単な説明】
【図１】  本考案の一の実施例で使用状態を示す断面図である。
【図２】  本考案の他の使用状態を示す断面図である。
【符号の説明】
【００１２】  １  仕切板
２  ノズル基部凹部
３  ノズル
４  ノズル基部
５  ノズル押し下げ凹部
６  ガス逃がし穴
７  筒状体
８  ボンベ本体
９  突起
【図１】
0003180274.tif 000003
【図２】
0003180274.tif 000004